(57)【要約】【課題】掛け蒲団などの掛寝具への取り付け、取り外しが簡単で、寝ている人の首周りを保温することに適した掛寝具の保温カバーを提供する。【解決手段】掛寝具の長手方向長さより大きい長手方向長さと、掛寝具の横手方向長さより少なくとも２倍以上大きい横手方向長さを有する方形の布体からなり、少なくとも一方の横手方向に延びる縁辺における中央部に、当該縁辺から内側に向かって長手方向に延びる切込み部が形成されており、長手方向において前記切込み部が形成されていない部分における長手方向に延びる２つの縁辺にそれぞれ接続手段が配備されていることを特徴とする掛寝具の保温カバー。【選択図】図１
0003153690.tif 000002
【実用新案登録請求の範囲】
【請求項１】
掛寝具の長手方向長さより大きい長手方向長さと、掛寝具の横手方向長さより少なくとも２倍以上大きい横手方向長さを有する方形の布体からなり、
少なくとも一方の横手方向に延びる縁辺における中央部に、当該縁辺から内側に向かって長手方向に延びる切込み部が形成されており、
前記布体の長手方向において前記切込み部が形成されていない部分における長手方向に延びる２つの縁辺にそれぞれ接続手段が配備されている
ことを特徴とする掛寝具の保温カバー。
【請求項２】
長手方向において前記切込み部が形成されていない部分における長手方向に延びる２つの縁辺にそれぞれ配備されている前記接続手段は、当該２つの縁辺にそれぞれ取り付け、取り外し可能にされている
ことを特徴とする請求項１記載の掛寝具の保温カバー。
【請求項３】
掛寝具の長手方向長さより大きい長手方向長さと、掛寝具の横手方向長さより大きい横手方向長さを有する方形の２枚の布体からなり、
当該２枚の布体は、長手方向に延びる２つの縁辺にそれぞれ接続手段を備えており、
当該接続手段は、長手方向に延びる前記２つの縁辺の、少なくとも一方の横手方向に延びる縁辺から所定の長手方向に延びる範囲にわたっては前記２つの縁辺に配備されていない
ことを特徴とする掛寝具の保温カバー。
【請求項４】
長手方向に延びる２つの縁辺にそれぞれ配備されている前記接続手段は、当該２つの縁辺にそれぞれ取り付け、取り外し可能にされている
ことを特徴とする請求項３記載の掛寝具の保温カバー。
【考案の詳細な説明】
【技術分野】
【０００１】  この考案は、掛け蒲団などの掛寝具に取り付けて使用される掛寝具の保温カバーに関し、特に、掛寝具を掛けて寝ている人の首もとを保温することに適した掛寝具の保温カバーに関する。
【背景技術】
【０００２】  従来から、掛寝具のカバーに関しては、掛け蒲団などの掛寝具への取り付け、取り外しを簡単に行えるようにするとともに、保温性を向上させる等の観点から種々の提案がされている。【０００３】  例えば、特許文献１には、掛寝具のカバーを構成している布に保温性及び、肌ざわりの良い素材を用い、その形状を使用時枕側に位置する箇所に布延長部が形成されているものにし、この布延長部をカバー部より切り離し、面ファスナー等で着脱可能にした提案が行われている。
【先行技術文献】
【特許文献】
【０００４】
【特許文献１】実用新案登録第３１５１２５５号公報
【考案の概要】
【考案が解決しようとする課題】
【０００５】  前述した特許文献１記載の掛寝具のカバーを始めとした従来の掛寝具のカバーには、掛け蒲団などの掛寝具への取り付け、取り外しをより簡単に行えるようにし、また、保温性を向上させ、特に、寝ている人の首周りを保温することに適した掛寝具のカバー、すなわち掛寝具の保温カバーを提供するという点において改善する余地があった。【０００６】  この考案は、掛け蒲団などの掛寝具への取り付け、取り外しが簡単で、寝ている人の首周りを保温することに適した掛寝具の保温カバーを提供することを目的にしている。
【課題を解決するための手段】
【０００７】  前記目的を達成するため本願は以下の考案を提案するものである。【０００８】  請求項１記載の考案は、
掛寝具の長手方向長さより大きい長手方向長さと、掛寝具の横手方向長さより少なくとも２倍以上大きい横手方向長さを有する方形の布体からなり、
少なくとも一方の横手方向に延びる縁辺における中央部に、当該縁辺から内側に向かって長手方向に延びる切込み部が形成されており、
前記布体の長手方向において前記切込み部が形成されていない部分における長手方向に延びる２つの縁辺にそれぞれ接続手段が配備されている
ことを特徴とする掛寝具の保温カバー
である。【０００９】  請求項２記載の考案は、
長手方向において前記切込み部が形成されていない部分における長手方向に延びる２つの縁辺にそれぞれ配備されている前記接続手段は、当該２つの縁辺にそれぞれ取り付け、取り外し可能にされている
ことを特徴とする請求項１記載の掛寝具の保温カバー
である。【００１０】  請求項３記載の考案は、
掛寝具の長手方向長さより大きい長手方向長さと、掛寝具の横手方向長さより大きい横手方向長さを有する方形の２枚の布体からなり、
当該２枚の布体は、長手方向に延びる２つの縁辺にそれぞれ接続手段を備えており、
当該接続手段は、長手方向に延びる前記２つの縁辺の、少なくとも一方の横手方向に延びる縁辺から所定の長手方向に延びる範囲にわたっては前記２つの縁辺に配備されていない
ことを特徴とする掛寝具の保温カバー
である。【００１１】  請求項４記載の考案は、
長手方向に延びる２つの縁辺にそれぞれ配備されている前記接続手段は、当該２つの縁辺にそれぞれ取り付け、取り外し可能にされている
ことを特徴とする請求項３記載の掛寝具の保温カバー
である。
【考案の効果】
【００１２】  この考案によれば、掛け蒲団などの掛寝具への取り付け、取り外しが簡単で、寝ている人の首周りを保温することに適した掛寝具の保温カバーを提供することができる。
【図面の簡単な説明】
【００１３】
【図１】（ａ）本考案の掛寝具の保温カバーの一例を説明する平面図、（ｂ）図１（ａ）図示の掛寝具の保温カバーが使用されている状態を説明する断面図。
【図２】本考案の掛寝具の保温カバーの他の例を説明する平面図。
【図３】（ａ）本考案の掛寝具の保温カバーの更に他の例を説明する平面図、（ｂ）図３（ａ）図示の掛寝具の保温カバーが使用されている状態を説明する平面図。
【考案を実施するための形態】
【００１４】  以下、添付図面を参照して本考案の好ましい実施例を説明する。
【実施例１】
【００１５】  図１（ａ）、（ｂ）、図２図示の本考案の掛寝具の保温カバー１は一枚の方形の布体からなる。この方形の布体は、図１（ａ）図示のように、掛寝具２の長手方向長さ（図１（ａ）中、左右方向の長さ）より大きい長手方向長さと、掛寝具２の横手方向長さ（図１（ａ）中、上下方向の長さ）より少なくとも２倍以上大きい横手方向長さを有する。【００１６】  一枚の方形の布体は、例えば、フリース製のように軽くて、摩擦抵抗が小さく、保温性に優れているものを使用することができる。【００１７】  図１（ａ）図示のように、布体の、少なくとも一方の横手方向に延びる縁辺における中央部に、当該縁辺から内側に向かって長手方向に延びる切込み部７が形成されている。【００１８】  本考案の掛寝具の保温カバー１は、掛寝具２の横手方向長さ（図１（ａ）中、上下方向の長さ）より少なくとも２倍以上大きい横手方向長さを有する方形の布体からなるので、前述したように形成されている切込み部７が形成されている位置によって区画される図１中、符号３、４でそれぞれ示される布部分はいずれも、掛け布団、毛布などの掛寝具２を十分に覆うことのできる大きさを有している。【００１９】  更に、本考案による掛寝具の保温カバー１は、一枚の方形の布体の、長手方向において切込み部７が形成されていない部分における長手方向に延びる２つの縁辺に、図１（ａ）に示すように、それぞれ接続手段８、９を備えている。【００２０】  接続手段８、９としては、面ファスナー、ジッパー、スナップボタンなどを採用できる。【００２１】  接続手段８、９が長手方向に延びる２つの縁辺に配備されている位置は、前述したように、長手方向において切込み部７が形成されていない部分になる。【００２２】  一方、一枚の方形の布体における、長手方向において切込み部７が形成されている部分は、布体の中央部が切り込み部７で分割されていることにより、布部分３の側に形成される布片部５、布部分４の側に形成される布片部６となる。【００２３】  この図１（ａ）図示の掛寝具の保温カバー１は次のようにして使用できる。【００２４】  まず、図１（ａ）図示のように広げ、布部分３の上に掛け布団、毛布などの掛寝具２を置く。次に、布部分４を折り曲げて掛寝具２を上側から布部分４で覆う。そして、対向することになる接続手段８、９との間で接続を行って、筒状になった掛寝具の保温カバー１で掛寝具２を覆う。その後、この掛寝具２を使用する人の首元側に布片部５、６がくるようにし、布片部６を図１（ｂ）のように折り畳み、その上に、下側になっている布部分３から延びてきた布片部５を重ねる。【００２５】  本考案による掛寝具の保温カバー１は上記のようにして掛け布団、毛布などの掛寝具２に取り付けることができるので、極めて簡単に取り付けることができ、また、取り外しも簡単に行うことができる。【００２６】  掛け布団、毛布などの掛寝具２は保温性を考慮し、密着性が高く、摩擦抵抗が大きいのが一般的である。そこで、方形で一方の側のみが開口している従来の掛寝具カバーに掛け布団、毛布などの掛寝具を挿入することにより、掛寝具カバーを掛寝具に取り付けるのは摩擦抵抗が大きく困難に感じることがあった。【００２７】  本考案によれば���広げている布部分３の上に掛寝具２を置き、この掛寝具２の上側を布部分４で覆い、接続手段８、９との間で接続を行って、筒状になった掛寝具の保温カバー１で掛寝具２を覆うだけなので、掛寝具の保温カバー１を簡単に掛寝具２に取り付けることができる。また、取り外しも簡単に行うことができる。【００２８】  更に、掛寝具の保温カバー１が装着されている掛寝具２を使用している人の首元側には布片部５、６が積層されているので、使用している人の肩口などから冷気が侵入することを防ぐ効果を発揮し、保温効果を高めることができる【００２９】  図２図示の掛寝具の保温カバー１１は、図１図示の実施形態から若干サイズを変更したものである。図１の実施例において説明した部分と共通する部分には共通す売る符号を付けてその説明を省略する。【００３０】  図１の実施形態における布部分３、４の大きさが布部分３ａ、４ａに示されるように、図１図示のものと少し異なっている。図１の実施形態と同じく、布部分３ａ、４ａにおける、長手方向において切込み部７が形成されている部分は、布体の中央部が切り込み部７で分割されていることにより、布部分３ａの側に形成される布片部５ａ、布部分４ａの側に形成される布片部６ａとなっている。
【実施例２】
【００３１】  図３（ａ）〜（ｃ）図示の掛寝具の保温カバーは、掛寝具２の長手方向長さより大きい長手方向長さと、掛寝具２の横手方向長さより大きい横手方向長さを有する二枚の方形の布体３ｂ、４ｂからなるものである。【００３２】  布体３ｂ、４ｂは、例えば、フリース製のように軽くて、摩擦抵抗が小さく、保温性に優れているものを使用することができる。【００３３】  ２枚の布体３ｂ、４ｂは、いずれも、長手方向に延びる２つの縁辺にそれぞれ接続手段８ａ、９ａ、８ｂ、９ｂを備えている。【００３４】  接続手段８ａ、９ａ、８ｂ、９ｂとしては、面ファスナー、ジッパー、スナップボタンなどを採用することができる。【００３５】  接続手段８ａ、９ａ、８ｂ、９ｂは、図１（ａ）図示のように、長手方向に延びる２つの縁辺の、少なくとも一方の横手方向に延びる縁辺から所定の長手方向に延びる範囲にわたっては配備されていない。【００３６】  そこで、布体３ｂにおいて、長手方向に延びる２つの縁辺の、少なくとも一方の横手方向に延びる縁辺から所定の長手方向に延びる範囲にわたって接続手段８ａ、９ａが配備されていない領域は、布体３ｂの一方の端側に形成される布片部５ｂとなる。【００３７】  また、布体４ｂにおいて、長手方向に延びる２つの縁辺の、少なくとも一方の横手方向に延びる縁辺から所定の長手方向に延びる範囲にわたって接続手段８ｂ、９ｂが配備されていない領域は、布体４ｂの一方の端側に形成される布片部６ｂとなる。【００３８】  この図３図示の掛寝具の保温カバーを使用する場合には、まず、一方の布体、例えば、布体４ｂを広げる。次いで、その上に、掛け布団、毛布などの掛寝具２を置く。次に、掛寝具２の上側を他方の布体、例えば、布体３ｂで覆う。そして、対向することになる接続手段８ａと８ｂとの間、対向することになる接続手段９ａと９ｂとの間でそれぞれ接続を行って、筒状になった掛寝具の保温カバーで掛寝具２を覆う。その後、この掛寝具２を使用する人の首元側に布片部５ｂ、６ｂがくるようにし、布片部５ｂ、６ｂを図１（ｂ）で説明したように折り畳み、積層する。【００３９】  こうして、本考案による掛寝具の保温カバーは掛け布団、毛布などの掛寝具２に極めて簡単に取り付けることができ、また、取り外しも簡単に行うことができる。【００４０】  また、掛寝具の保温カバーが装着されている掛寝具２を使用している人の首元側には布片部５ｂ、６ｂが積層されているので、使用している人の肩口などから冷気が侵入することを防ぐ効果を発揮し、保温効果を高めることができる
【符号の説明】
【００４１】１  掛寝具の保温カバー
２  掛寝具
３、４  布部分
３ａ、４ａ  布部分
３ｂ、４ｂ  布体
５、６  布片部
７  切込み部
８、９、８ａ、９ａ、８ｂ、９ｂ  接続手段
１１  掛寝具の保温カバー
５ａ、５ｂ  布片部
６ａ、６ｂ  布片部
【図１】
0003153690.tif 000003
【図２】
0003153690.tif 000004
【図３】
0003153690.tif 000005